(57)【要約】【課題】絞り羽根を駆動する電磁アクチュエータを備えたカメラ用絞り装置において、構成部品を削減し、組み付け作業の簡略化、低コスト化を図る。【解決手段】ベース１０に回動自在に支持されるロータ２０、ロータ２０の外周面に対向するように形成され異なる磁極を発生する二つの磁極部をもつヨーク３０，４０、励磁用のコイル６０、コイル６０を巻回するボビン５１及びヨークをベースに対して押えかつロータを支持する押え部５２，５３を一体的にもつボビン兼押え部材５０を備える電磁アクチュエータ１００により、絞り羽根１１０を駆動して、開口部１０ａを通過する光量を調整する。これにより、組み付け作業の簡略化、低コスト化等を行える。【選択図】  図１
2004309531.tif 000002
【特許請求の範囲】
【請求項１】
露光用の開口部を有するベースと、前記ベースに回動自在に支持され前記開口部を通過する光量を調整する絞り羽根と、Ｎ極及びＳ極に着磁され前記ベースに回動自在に支持されるロータ，前記ロータの外周面に対向するように形成され異なる磁極を発生する二つの磁極部をもつヨーク，励磁用のコイル，前記ヨークの外周に配置され前記コイルを巻回するボビンを有し前記絞り羽根を駆動する電磁アクチュエータと、を備え、
前記ボビンには、前記ヨークを前記ベースに対して押えかつ前記ロータを支持する押え部が一体的に形成されている、
ことを特徴とするカメラ用絞り装置。
【請求項２】
前記ヨークは、前記二つの磁極部の一方を端部にもつ直線部を含む略Ｕ字状に形成され、
前記ボビンは、前記直線部を嵌合させる嵌合孔を有し、
前記絞り羽根は、所定の口径をなす開口を画定する羽根と、少なくとも前記開口を覆うように前記羽根に接合され光量を減少させるＮＤフィルタと、を含む、ことを特徴とする請求項１記載のカメラ用絞り装置。
【請求項３】
前記絞り羽根は、一対の前記羽根を含み、
前記ＮＤフィルタは、前記一対の羽根間に挟まれて接合されている、
ことを特徴とする請求項２記載のカメラ用絞り装置。
【請求項４】
前記ＮＤフィルタは、前記羽根の一方側の面に接合されている、
ことを特徴とする請求項２記載のカメラ用絞り装置。
【請求項５】
前記ヨークは、前記二つの磁極部の一方を端部にもつ直線部を含む略Ｕ字状に形成され、
前記ボビンは、前記直線部を嵌合させる嵌合孔を有し、
前記絞り羽根は、前記露光用の開口部よりも口径の小さい絞り開口を有する、ことを特徴とする請求項１記載のカメラ用絞り装置。
【請求項６】
前記押え部は、前記ボビンの両端部から延出するように形成されている、
ことを特徴とする請求項１ないし５いずれかに記載のカメラ用絞り装置。
【発明の詳細な説明】
【０００１】
【発明の属する技術分野】
本発明は、露光用の開口部を絞る絞り羽根を備えたカメラ用絞り装置に関し、特に、絞り羽根を駆動する駆動源として所定の角度範囲を回動する電磁アクチュエータを備えたカメラ用絞り装置に関する。
【０００２】
【従来の技術】
カメラのシャッタ羽根あるいは絞り羽根の駆動に用いられる従来の電磁アクチュエータとしては、図１１に示すように、露光用の開口部１ａを有するベース１に対して回動自在に支持されるロータ２、ロータ２の外周面に対向するように配置される磁極部を有する下側ヨーク３及び上側ヨーク４、コイル５が巻回されたボビン６、上側ヨーク４及び下側ヨーク３を押さえ込むと共にロータ２を回動自在に支持する押え板７、押え板７を地板１に締結するネジ８等により形成されている。
【０００３】
そして、この電磁アクチュエータを組み付ける際には、先ず、ロータ２をベース１の支軸１ｂに回動自在に取り付け、下側ヨーク３及び上側ヨーク４を重ね合わせた状態で直線部３ａ，４ａをボビン６の嵌合孔６ａに挿入して、コイル５を巻回したボビン６を組み付けてモジュール化する。
その後、このモジュール化した部品をベース１の所定位置に組み付け、その上に押え板７を配置し、ベース１のネジ穴１ｃにネジ８を螺合して、押え板７をベース１に締結する。これにより、カメラ用シャッタ装置あるいはカメラ用絞り装置の駆動源としての電磁アクチュエータの組み付けが完了する（例えば、特許文献１参照）。
【０００４】
【特許文献１】
特開２００２−１５６６８４号公報
【０００５】
【発明が解決しようとする課題】
ところで、上記の構成からなる電磁アクチュエータでは、ボビン６に下側ヨーク３及び上側ヨーク４を組み付けた後に、さらに別個に形成された押え板７を用いて全体を固定するため、組み付け作業が煩雑であり、部品点数も多く、部品の管理コスト、製造コスト等の増加を招いていた。
本発明は、上記従来技術の問題点に鑑みて成されたものであり、その目的とするところは、部品点数を削減して、組み付け作業の簡略化、低コスト化、構造の簡略化等を図れる電磁アクチュエータを駆動源とするカメラ用絞り装置を提供することにある。
【０００６】
【課題を解決するための手段】
本発明のカメラ用絞り装置は、露光用の開口部を有するベースと、ベースに回動自在に支持され開口部を通過する光量を調整する絞り羽根と、Ｎ極及びＳ極に着磁されベースに回動自在に支持されるロータ，ロータの外周面に対向するように形成され異なる磁極を発生する二つの磁極部をもつヨーク，励磁用のコイル，ヨークの外周に配置されコイルを巻回するボビンを有し絞り羽根を駆動する電磁アクチュエータとを備え、上記ボビンには、ヨークをベースに対して押えかつロータを支持する押え部が一体的に形成されている、ことを特徴としている。
この構成によれば、ボビンと押え部とが一体的に形成されているため、部品点数が削減され、その分だけ部品の取り扱い工数あるいは手間が省け、組み付け作業を簡略化でき、構造を簡略化でき、装置のコストを低減できる。
【０００７】
上記構成において、ヨークは、二つの磁極部の一方を端部にもつ直線部を含む略Ｕ字状に形成され、ボビンは、直線部を嵌合させる嵌合孔を有し、絞り羽根は、所定の口径をなす開口を画定する羽根と、少なくともこの開口を覆うように羽根に接合され光量を減少させるＮＤフィルタと、を含む、構成を採用できる。
この構成によれば、ボビンの嵌合孔にヨークを挿入して組み付けた後、その組み付け品を直接ベースに位置決めして固定することができるため、従来のように、別個に形成された構成部品をベースに対して個々に位置決めして組み付ける場合に比べて、組み付けの手間（工程）が省け、組み付け作業が容易になる。
また、絞り羽根は、電磁アクチュエータにより駆動されて開口部に臨むとき、その開口が露光用の開口部よりも大きい場合はＮＤフィルタの作用のみで開口部を通過する光量を減少させ、又、その開口が露光用の開口部よりも小さい絞り開口の場合はその絞り開口とＮＤフィルタとの両方の作用により開口部を通過する光量を減少させることができる。
【０００８】
上記構成において、絞り羽根は、一対の羽根を含み、ＮＤフィルタは、一対の羽根間に挟まれて接合されている、構成を採用できる。
この構成によれば、ＮＤフィルタが一対の羽根に挟まれた積層構造をなすため、絞り羽根の機械的強度が高まり、又、ＮＤフィルタに傷が付くのを防止できる。
【０００９】
また、上記構成において、ＮＤフィルタは、羽根の一方側の面に接合されている、構成を採用できる。
この構成によれば、ＮＤフィルタが少なくとも開口を覆うように接合されるだけであるため、絞り羽根を軽量化、薄型化でき、さらには装置を薄型化できる。
【００１０】
上記構成において、ヨークは、二つの磁極部の一方を端部にもつ直線部を含む略Ｕ字状に形成され、ボビンは、直線部を嵌合させる嵌合孔を有し、絞り羽根は、露光用の開口部よりも口径の小さい絞り開口を有する、構成を採用できる。
この構成によれば、ボビンの嵌合孔にヨークを挿入して組み付けた後、その組み付け品を直接ベースに位置決めして固定することができるため、従来のように、別個に形成された構成部品をベースに対して個々に位置決めして組み付ける場合に比べて、組み付けの手間（工程）が省け、組み付け作業が容易になる。また、絞り羽根は、電磁アクチュエータにより駆動されて開口部に臨むとき、その絞り開口により開口部を通過する光量を減少させることができる。
【００１１】
上記構成において、押え部は、ボビンの両端部から延出するように形成されている、構成を採用できる。
この構成によれば、ボビンを挟む両側において押え部をベースに固定することで、部品点数の削減、組み付け作業の簡略化等を行ないつつも、堅固に組み付けることができる。
【００１２】
【発明の実施の形態】
以下、本発明の実施の形態について、添付図面を参照しつつ説明する。
図１ないし図５は本発明に係るカメラ用絞り装置の一実施形態を示すものであり、図１は装置の一部をなす電磁アクチュエータを示す分解斜視図、図２は装置の一部をなす絞り羽根及び近傍の構造を示す分解斜視図、図３は装置の展開断面図、図４は絞り羽根の分解斜視図、図５は装置の動作を説明する平面図である。
【００１３】
この絞り装置は、図１及び図２に示すように、露光用の開口部１０ａを有するベース１０、ベース１０に回動自在に支持され開口部１０ａを通過する光量を調整する絞り羽根１１０、絞り羽根１１０を覆う裏板１２０、ロータ２０，下側ヨーク３０，上側ヨーク４０，ボビン兼押え部材５０，励磁用のコイル６０，ボビン兼押え部材５０をベース１０に締結するネジ７０等を含み絞り羽根１１０を駆動する電磁アクチュエータ１００等を備えている。
【００１４】
ベース１０は、図１及び図２に示すように、露光用の開口部１０ａ、ロータ２０を支持する支軸１１、下側ヨーク３０及び上側ヨーク４０を位置決めするピン１２及び壁部１３、ネジ７０を螺合するネジ穴１４ａが形成された連結部１４、後述するロータ２０の駆動ピン２３を通す切り欠き孔１５等を有する。また、ベース１０は、図３に示すように、その裏面側において、絞り羽根１１０を回動自在に支持する支軸１６を有する。
【００１５】
ロータ２０は、図１に示すように、中央部に貫通孔２０ａを有し、回転中心軸Ｌを通る境界面を境にＮ極及びＳ極に着磁され、この境界面を境に二分されるＮ極側の外周面２１とＳ極側の外周面２２と有し、径方向外側に向かって突出しさらに下方に伸長する駆動ピン２３を有する。駆動ピン２３は、ロータ２０の回転駆動力を外部に伝達すると共に、全体がＳ極に着磁されており、後述する補助磁極片３１ｂと協働して磁気的吸引力及び反発力を生じる。
【００１６】
下側ヨーク３０は、図１に示すように、湾曲部３１と直線部３２とをもつ略Ｕ字状でかつ板状に形成され、その折れ曲り領域に位置決め孔３３が形成されている。湾曲部３１の端部には、ロータ２０の外周面に対向する第１磁極部３１ａと略垂直に屈曲した補助磁極片３１ｂとが形成されている。尚、補助磁極片３１ｂは、駆動ピン２３との間において磁気的吸引力及び反発力を発生させるためのものである。直線部３２の端部には、ロータ２０の外周面に対向する第２磁極部３２ａが形成されている。
【００１７】
上側ヨーク４０は、図１に示すように、湾曲部４１と直線部４２とをもつ略Ｕ字状でかつ板状に形成され、その折れ曲り領域に位置決め孔４３が形成されている。湾曲部４１の端部には、ロータ２０の外周面に対向する第１磁極部４１ａが形成されている。直線部４２の端部には、ロータ２０の外周面に対向する第２磁極部４２ａが形成されている。
【００１８】
ボビン兼押え部材５０は、図１に示すように、断面が略矩形の筒状をなすボビン５１と、ボビン５１の両端から水平方向に延出する二つの押え部５２，５３とを備えるように、樹脂材料等により一体的に形成されている。
ボビン５１は、図１に示すように、両端部にリブ５１ａを有し、内部に略矩形断面をなす嵌合孔５１ｂを有する。そして、嵌合孔５１ｂには、下側ヨーク３０の直線部３２及び上側ヨーク４０の直線部４２が重ねられた状態で挿入されて、下側ヨーク３０及び上側ヨーク４０が堅固に保持されるようになっている。
また、両側のリブ５１ａに挟まれたボビン５１の外周領域には、コイル６０が巻回されている。
【００１９】
押え部５２は、扁平な板状に形成され、その途中にはベース１０の支軸１１を通す嵌合孔５２ａが形成され、その端部にはネジ７０を通す孔５２ｂが形成されている。押え部５３は、扁平な板状に形成され、その途中にはベース１０のピン１２を通す略矩形の孔５３ａが形成され、その端部にはネジ７０を通す孔５３ｂが形成されている。
【００２０】
上記構成をなす電磁アクチュエータ１００の組み付けについては、先ず、ロータ２０が支軸１１に回動自在に取り付けられる。続いて、ボビン兼押え部材５０のボビン５１に対してコイル６０が巻回される。次に、下側ヨーク３０と上側ヨーク４０とが重ねられた状態で、直線部３２，４２がボビン５１の嵌合孔５１ｂに挿入される。これにより、下側ヨーク３０及び上側ヨーク４０は、ボビン兼押え部材５０に対して堅固に保持される。尚、コイル６０は、下側ヨーク３０及び上側ヨーク４０が挿入された後に、巻回されてもよい。
以上により、コイル６０、下側ヨーク３０及び上側ヨーク４０がボビン兼押え部材５０に対して組み込まれて、モジュール品が形成される。
【００２１】
次に、ベース１０のピン１２が位置決め孔３３，４３及び孔５３ａを通り、湾曲部３１，４１と直線部３２，４２とが壁部１３の内側に位置決めされ、支軸１１の先端が嵌合孔５２ａに嵌合されるように、上記モジュール品（コイル６０、下側ヨーク３０及び上側ヨーク４０、及びボビン兼押え部材５０）をベース１０の上に配置し、ネジ７０を用いて、押え部５２，５３を連結部１４に締結する。これにより、電磁アクチュエータ１００の組み付けが完了する。
【００２２】
このように、組み付けに際しては、ベース１０に対して、下側ヨーク３０及び上側ヨーク４０とコイル６０を巻いたボビン兼押え部材５０とが同時に位置決めされるため、別々に位置決めして組み付ける場合に比べて、組み付け作業が簡略化されると共に、組付け精度が向上する。また、ボビン５１と押え部５２，５３とが一体であるため、従来のように別々の部品として形成される場合に比べて、組付け工数の簡略化に加えて、部品点数が削減され、部品の管理コストが低減され、それ故に装置のコストを低減できる。
【００２３】
上記のように、電磁アクチュエータ１００がベース１０に組み付けられた状態において、ロータ２０は、図３に示すように、ベース１０（支軸１１）とボビン兼押え部材５０（押え部５２）とで抜け落ちないように回動自在に支持され、その駆動ピン２３が切り欠き孔１５を通って、ベース１０と裏板１２０との間に形成された羽根室Ｗまで伸長している。
【００２４】
裏板１２０は、ベース１０の開口部１０ａに対応する露光用の開口部１２０ａ、支軸１６を通す円孔１２０ｂ、駆動ピン２３を通す長孔１２０ｃ、ネジ１３０を通す孔１２０ｄ等を有し、絞り羽根１１０を羽根室Ｗに配置した後に、ネジ１３０によりベース１０の背面に締結される。
【００２５】
絞り羽根１１０は、図２及び図４に示すように、プラスチックもしくは金属材料により形成された一対の羽根１１１の間にフィルム状のＮＤフィルタ１１２を挟み、接着、溶着、カシメ等の手法を用いて一体的に接合したものであり、露光用の開口部１０ａよりも大きい口径をもつ開口１１０ａ、支軸１６を通す円孔１１０ｂ、駆動ピン２３を通す長孔１１０ｃを有する。
【００２６】
一対の羽根１１１は、開口１１０ａを画定する開口１１１ａ、円孔１１０ｂを画定する円孔１１１ｂ、長孔１１０ｃを画定する長孔１１１ｃを有する。ＮＤフィルタ１１２は、一対の羽根１１１と同一の外輪郭に形成され、円孔１１０ｂを画定する円孔１１２ｂ、長孔１１０ｃを画定する長孔１１２ｃ有する。ＮＤフィルタ１１２は、殆んど色の変化を生じることなく光量を減少させる光学濃度フィルタである。尚、ＮＤとは、ｎｅｕｔｒａｌ  ｄｅｎｓｉｔｙを略したものである。
このように、絞り羽根１１０は、同一の輪郭をなす一対の羽根１１１及びＮＤフィルタ１１２の積層構造をなすため、機械的強度が高くなり、又、ＮＤフィルタ１１２に傷が付くのを防止でき、さらに、打ち抜き型等を共用でき製造コスト等を低減できる。
【００２７】
上記構成をなす絞り羽根１１０は、図３に示すように、羽根室Ｗ内において支軸１６により回動自在に支持された状態で、コイル６０が通電されてロータ２０が回動すると、駆動ピン２３を介して、図５（ａ）に示すように開口部１０ａから外れた非絞り位置と、図５（ｂ）に示すように開口部１０ａに臨み光量を減少させる絞り位置との間を移動するようになっている。
【００２８】
このカメラ用絞り装置においては、電磁アクチュエータ１００が駆動源として採用されているため、装置全体のコストを低減することができ、又、電磁アクチュエータ１００の交換作業等を行なう場合にも、従来に比べて構成部品が少ないことから、作業を簡単にかつ容易に行なうことができる。
【００２９】
尚、この実施形態においては、絞り羽根１１０の開口１１０ａをベース１０の開口部１０ａよりも大きい口径にしたが、開口部１０ａよりも小さい口径をなす絞り開口に形成してもよい。この場合、絞り羽根が開口部１０ａに臨む絞り位置にあるとき、絞り開口とＮＤフィルタとの両方の作用により開口部１０ａを通過する光量が調整される（減少させられる）。
【００３０】
図６ないし図８は、本発明に係るカメラ用絞り装置の他の実施形態を示すものである。この実施形態においては、絞り羽根１１０´及び裏板１２０´を変更した以外は前述の実施形態と同一の構成であるため、同一の構成については同一の符号を付してその説明を省略する。
【００３１】
すなわち、この絞り装置において、絞り羽根１１０´は、図６及び図７に示すように、プラスチックもしくは金属材料により形成された一つの羽根１１１´の裏面にフィルム状のＮＤフィルタ１１２´を接着、溶着、カシメ等の手法を用いて接合したものであり、露光用の開口部１０ａよりも小さい口径をもつ絞り開口１１０ａ´、支軸１６を通す円孔１１０ｂ´、駆動ピン２３を通す長孔１１０ｃ´を有する。
羽根１１１´には、絞り開口１１０ａ´を画定する開口１１１ａ´、円孔１１０ｂを画定する円孔１１１ｂ、長孔１１０ｃを画定する長孔１１１ｃを有する。ＮＤフィルタ１１２´は、少なくとも開口１１１ａ´を覆う大きさに形成されて、羽根１１１´の裏面に貼付されている。
【００３２】
裏板１２０´は、図６に示すように、ベース１０の開口部１０ａに対応する露光用の開口部分及びＮＤフィルタ１１２´の逃げ部分を画定する湾曲した長孔形状をなす開口部１２０ａ´、支軸１６を通す円孔１２０ｂ´、駆動ピン２３を通す長孔１２０ｃ´、ネジ１３０を通す孔１２０ｄ´等を有し、絞り羽根１１０´を羽根室Ｗに配置した後に、ネジ１３０によりベース１０の背面に締結される。
【００３３】
このように、絞り羽根１１０´は、一枚の羽根１１１´と絞り開口１１０ａ´を覆う領域にのみ貼付されたＮＤフィルタ１１２´とにより形成されるため、前述の絞り羽根１１０に比べて薄型化、軽量化される。また、裏板１２０´に対してＮＤフィルタ１１２´の逃げ部分をも画定する開口部１２０ａ´を形成したことにより、ベース１０に対して絞り羽根１１０´及び裏板１２０´を組付ける際に、お互いをより接近させて組付けることができるため、絞り装置全体をより薄型化できる。
【００３４】
上記構成をなす絞り羽根１１０´は、前述の実施形態と同様に、羽根室Ｗ内において支軸１６により回動自在に支持された状態で、コイル６０が通電されてロータ２０が回動すると、駆動ピン２３を介して、図８（ａ）に示すように開口部１０ａから外れた非絞り位置と、図８（ｂ）に示すように開口部１０ａに臨み光量を減少させる絞り位置との間を移動するようになっている。
【００３５】
このカメラ用絞り装置においても、電磁アクチュエータ１００が駆動源として採用されているため、装置全体のコストを低減することができ、又、電磁アクチュエータ１００の交換作業等を行なう場合にも、従来に比べて構成部品が少ないことから、作業を簡単にかつ容易に行なうことができる。
【００３６】
尚、この実施形態においては、絞り羽根１１０´の絞り開口１１０ａ´をベース１０の開口部１０ａよりも小さい口径にしたが、開口部１０ａよりも大きい口径をなす開口に形成してもよい。この場合、絞り羽根が開口部１０ａに臨む絞り位置にあるとき、ＮＤフィルタのみの作用により開口部１０ａを通過する光量が調整される（減少させられる）。
【００３７】
図９及び図１０は、本発明に係るカメラ用絞り装置のさらに他の実施形態を示すものである。この実施形態においては、絞り羽根１１０´´を変更した以外は前述の図２及び図３に示す実施形態と同一の構成であるため、同一の構成については同一の符号を付してその説明を省略する。
【００３８】
すなわち、この絞り装置において、絞り羽根１１０´´は、図９及び図１０に示すように、プラスチックもしくは金属材料により形成され、露光用の開口部１０ａよりも小さい口径をもつ絞り開口１１０ａ´´、支軸１６を通す円孔１１０ｂ´´、駆動ピン２３を通す長孔１１０ｃ´´を有する。
【００３９】
上記構成をなす絞り羽根１１０´´は、前述の実施形態と同様に、羽根室Ｗ内において支軸１６により回動自在に支持された状態で、コイル６０が通電されてロータ２０が回動すると、駆動ピン２３を介して、図１０（ａ）に示すように開口部１０ａから外れた非絞り位置と、図１０（ｂ）に示すように開口部１０ａに臨み光量を減少させる絞り位置との間を移動するようになっている。
【００４０】
このカメラ用絞り装置においても、電磁アクチュエータ１００が駆動源として採用されているため、装置全体のコストを低減することができ、又、電磁アクチュエータ１００の交換作業等を行なう場合にも、従来に比べて構成部品が少ないことから、作業を簡単にかつ容易に行なうことができる。
【００４１】
上記各々の実施形態においては、下側ヨーク３０及び上側ヨーク４０を備える電磁アクチュエータ１００において、ボビン５１と押え部５２，５３とが一体的に形成されたボビン兼押え部材５０を採用したが、これに限定されるものではなく、単一のヨークを備える構成において本発明に係る構成を採用してもよい。
【００４２】
上記各々の実施形態においては、電磁アクチュエータ１００により駆動される絞り羽根として、単一の絞り羽根１１０，１１０´，１１０´´を駆動する場合を示したが、これに限定されるものではなく、お互いに近づいて開口部１０ａを絞りかつお互いに遠ざかって絞りを解除するような一対の絞り羽根あるいは３つ以上の絞り羽根を採用し、これら絞り羽根の駆動源として電磁アクチュエータ１００を採用してもよい。
【００４３】
【発明の効果】
以上述べたように、本発明に係るカメラ用絞り装置によれば、絞り羽根を駆動する電磁アクチュエータのボビンに、ヨークをベースに対して押えかつロータを支持する押え部を一体的に形成したことにより、別々に形成された場合に比べて、部品点数が削減され、その分だけ部品の取り扱い工数あるいは手間が省け、組み付け作業を簡略化でき、それ故に、装置の構造を簡略化でき、又、コストを低減できる。
【図面の簡単な説明】
【図１】本発明に係るカメラ用絞り装置の一部をなす電磁アクチュエータの分解斜視図である。
【図２】本発明に係るカメラ用絞り装置の一部をなす絞り羽根及びその近傍の構造を示す分解斜視図である。
【図３】図１及び図２に示すカメラ用絞り装置の展開断面図である。
【図４】カメラ用絞り装置の一部をなす絞り羽根の分解斜視図である。
【図５】カメラ用絞り装置の動作を説明するものであり、（ａ）は絞り羽根が非絞り位置にある状態を示す平面図、（ｂ）は絞り羽根が絞り位置にある状態を示す平面図である。
【図６】本発明に係るカメラ用絞り装置の他の実施形態を示すものであり、その一部をなす絞り羽根及びその近傍の構造を示す分解斜視図である。
【図７】図６に示すカメラ用絞り装置の一部をなす絞り羽根の分解斜視図である。
【図８】図６に示すカメラ用絞り装置の動作を説明するものであり、（ａ）は絞り羽根が非絞り位置にある状態を示す平面図、（ｂ）は絞り羽根が絞り位置にある状態を示す平面図である。
【図９】本発明に係るカメラ用絞り装置のさらに他の実施形態を示すものであり、その一部をなす絞り羽根及びその近傍の構造を示す分解斜視図である。
【図１０】図９に示すカメラ用絞り装置の動作を説明するものであり、（ａ）は絞り羽根が非絞り位置にある状態を示す平面図、（ｂ）は絞り羽根が絞り位置にある状態を示す平面図である。
【図１１】従来の装置に適用される電磁アクチュエータを示す分解斜視図である。
【符号の説明】
１０  ベース
１０ａ  露光用の開口部
１１  支軸
１２  ピン
１３  壁部
１４  連結部
１４  ネジ孔
１５  切り欠き孔
１６  支軸
２０  ロータ
２０ａ  貫通孔
２３  駆動ピン
３０  下側ヨーク
３１ａ  第１磁極部
３２ａ  第２磁極部
３２  直線部
４０  上側ヨーク
４２  直線部
４１ａ  第１磁極部
４２ａ  第２磁極部
５０  ボビン兼押え部材
５１  ボビン
５１ａ  リブ
５１ｂ  嵌合孔
５２，５３  押え部
５２ａ  嵌合孔
５２ｂ，５３ａ，５３ｂ  孔
６０  コイル
７０，１３０  ネジ
１００  電磁アクチュエータ
１１０，１１０´，１１０´´  絞り羽根
１１０ａ  開口
１１０ａ´，１１０ａ´´  絞り開口
１１１，１１１´  羽根
１１２，１１２´  ＮＤフィルタ
１２０，１２０´  裏板
１２０ａ，１２０ａ´  開口部
【図１】
2004309531.tif 000003
【図２】
2004309531.tif 000004
【図３】
2004309531.tif 000005
【図４】
2004309531.tif 000006
【図５】
2004309531.tif 000007
【図６】
2004309531.tif 000008
【図７】
2004309531.tif 000009
【図８】
2004309531.tif 000010
【図９】
2004309531.tif 000011
【図１０】
2004309531.tif 000012
【図１１】
2004309531.tif 000013